(57)【要約】【課題】表示品位が低下するのを抑制することが可能な液晶表示装置を提供する。【解決手段】この液晶表示装置１００は、異なる色に対応する複数の表示用副画素２ａ〜２ｃと、視野角を制御する視野角制御用副画素２ｄとを含む複数の画素２と、複数の画素２にそれぞれ設けられた共通電極１２ａおよび１２ｂと、保持容量７ａ〜７ｄとを備え、共通電極１２ａおよび１２ｂと、保持容量７ａ〜７ｄのうち少なくとも一方とは、複数の画素２の各々が設けられる領域において、複数の表示用副画素２ａ〜２ｃと視野角制御用副画素２ｄとで電気的に独立するように設けられている。【選択図】図２
2010224379.tif 000002
【特許請求の範囲】
【請求項１】
異なる色に対応する複数の表示用副画素と、視野角を制御する視野角制御用副画素とを含む複数の画素と、
前記複数の画素にそれぞれ設けられた共通電極および保持容量とを備え、
前記共通電極および前記保持容量のうち少なくとも一方は、前記複数の画素の各々が設けられる領域において、前記複数の表示用副画素と前記視野角制御用副画素とで電気的に独立するように設けられている、液晶表示装置。
【請求項２】
前記共通電極と電気的に接続された共通電極線と、
前記保持容量と電気的に接続された保持容量線とをさらに備え、
前記複数の画素の各々が設けられる領域において、前記共通電極および前記保持容量のうち少なくとも一方が前記複数の表示用副画素と前記視野角制御用副画素とで電気的に独立するように、前記共通電極および前記保持容量がそれぞれ前記共通電極線および前記保持容量線に接続されている、請求項１に記載の液晶表示装置。
【請求項３】
前記共通電極は、前記複数の表示用副画素に配置される第１共通電極と、前記第１共通電極とは電気的に独立して設けられ、前記視野角制御用副画素に配置される第２共通電極とを含み、
前記共通電極線は、前記第１共通電極に接続される第１共通電極線と、少なくとも前記複数の画素の各々が設けられる領域において、前記第１共通電極線とは電気的に独立して設けられ、前記第２共通電極に接続される第２共通電極線とを含む、請求項２に記載の液晶表示装置。
【請求項４】
前記複数の表示用副画素には、共通の１つの前記第１共通電極が設けられ、
前記視野角制御用副画素には、１つの前記第２共通電極が設けられ、
前記複数の表示用副画素に形成された前記共通の１つの第１共通電極は、１本の前記第１共通電極線に接続され、
前記視野角制御用副画素に形成された前記１つの第２共通電極は、１本の前記第２共通電極線に接続されている、請求項３に記載の液晶表示装置。
【請求項５】
前記保持容量は、前記複数の表示用副画素に配置される第１保持容量と、前記第１保持容量とは電気的に独立して設けられ、前記視野角制御用副画素に配置される第２保持容量とを含み、
前記保持容量線は、前記第１保持容量に接続される第１保持容量線と、少なくとも前記複数の画素の各々が設けられる領域において、前記第１保持容量線とは電気的に独立して設けられ、前記第２保持容量に接続される第２保持容量線とを含む、請求項２に記載の液晶表示装置。
【請求項６】
前記複数の表示用副画素には、それぞれ、前記第１保持容量が設けられ、
前記視野角制御用副画素には、１つの前記第２保持容量が設けられ、
前記複数の表示用副画素に形成された複数の前記第１保持容量は、１本の前記第１保持容量線に接続され、
前記視野角制御用副画素に形成された前記１つの第２保持容量は、１本の前記第２保持容量線に接続されている、請求項５に記載の液晶表示装置。
【請求項７】
第１基板と、
前記第１基板の表面上に形成された画素トランジスタと、
前記画素トランジスタに電気的に接続される画素電極と、
前記第１基板と液晶層を挟んで対向するように設けられた第２基板とをさらに備え、
前記第２基板の前記液晶層側の表面上には、前記共通電極が形成され、
前記複数の表示用副画素および前記視野角制御用副画素は、前記画素電極と前記共通電極との間に発生する縦方向の電界により駆動されるように構成され、
前記共通電極および前記保持容量のうち少なくとも一方は、前記複数の画素の各々が設けられる領域において、前記複数の表示用副画素と前記視野角制御用副画素とで電気的に独立するように設けられている、請求項１〜６のいずれか１項に記載の液晶表示装置。
【請求項８】
第３基板と、
前記第３基板の表面上に形成された画素トランジスタと、
前記第３基板側に設けられ、前記画素トランジスタに電気的に接続される画素電極とをさらに備え、
前記第３基板側の前記画素電極の表面上には、絶縁膜を介して前記共通電極が形成され、
前記複数の表示用副画素および前記視野角制御用副画素は、前記複数の画素の各々において、前記画素電極と前記共通電極との間に発生する横方向の電界により駆動されるように構成され、
前記共通電極および前記保持容量のうち少なくとも一方は、前記複数の画素の各々が設けられる領域において、前記表示用副画素と前記視野角制御用副画素とで電気的に独立するように設けられている、請求項１〜６のいずれか１項に記載の液晶表示装置。
【請求項９】
前記複数の表示用副画素および前記視野角制御用副画素にそれぞれ設けられる画素電極をさらに備え、
前記複数の表示用副画素は、前記複数の画素の各々において、前記画素電極と前記共通電極との間に発生する横方向の電界により駆動されるように構成され、
前記視野角制御用副画素は、前記複数の画素の各々において、前記画素電極と前記共通電極との間に発生する縦方向の電界により駆動されるように構成され、
前記共通電極および前記保持容量のうち少なくとも一方は、前記複数の画素の各々が設けられる領域において、前記複数の表示用副画素と前記視野角制御用副画素とで電気的に独立するように設けられている、請求項１〜６のいずれか１項に記載の液晶表示装置。
【請求項１０】
前記複数の表示用副画素に設けられた前記共通電極、および、前記視野角制御用副画素に設けられた前記共通電極に共通電位を印加する電位供給部をさらに備える、請求項１〜９のいずれか１項に記載の液晶表示装置。
【請求項１１】
前記電位供給部は、前記複数の表示用副画素に設けられた前記共通電極に第１共通電位を印加する第１電位供給部と、前記視野角制御用副画素に設けられた前記共通電極に第２共通電位を印加する第２電位供給部とを含む、請求項１０に記載の液晶表示装置。
【請求項１２】
請求項１〜１１のいずれか１項に記載の液晶表示装置を備えた、電子機器。
【発明の詳細な説明】
【技術分野】
【０００１】
本発明は、液晶表示装置および電子機器に関し、特に、複数の表示用副画素と視野角制御用副画素とを含む複数の画素を備える液晶表示装置および電子機器に関する。
【背景技術】
【０００２】
従来、複数の表示用副画素と視野角制御用副画素とを含む複数の画素を備える液晶表示装置が開示されている（たとえば、特許文献１参照）。
【０００３】
上記特許文献１には、各々の画素が、赤色（Ｒ）、緑色（Ｇ）および青色（Ｂ）の表示にそれぞれ対応した表示用副画素と視野角を制御するための視野角制御用副画素（Ｗ）とにより構成された液晶表示装置が開示されている。上記特許文献１に記載の液晶表示装置では、表示用副画素と視野角制御用副画素とに共通電極（保持容量）が設けられていると考えられる。なお、一般的に、液晶表示装置には、各々の画素に跨るように形成される共通電極（保持容量）が設けられており、上記特許文献１に記載の液晶表示装置においても表示用副画素と、視野角制御用副画素とにおいても共通の共通電極が形成されると考えられる。そして、視野角制御を行うために、視野角制御用副画素は、表示用副画素よりも高い電位で駆動させる場合がある。
【先行技術文献】
【特許文献】
【０００４】
【特許文献１】特開２００７−７９５２５号公報
【発明の概要】
【発明が解決しようとする課題】
【０００５】
しかしながら、上記特許文献１に開示された液晶表示装置では、視野角制御を行うために、視野角制御用副画素を表示用副画素よりも高い電位で駆動させる場合には、高い電位で駆動される視野角制御用副画素の駆動のＯＮとＯＦＦとの切り替えの際に、表示用副画素および視野角制御用副画素の共通電極（保持容量）が共通であるため、表示用副画素に印加される電位が変動してしまうという不都合がある。このため、表示品位が低下するという問題点がある。
【０００６】
この発明は、上記のような課題を解決するためになされたものであり、この発明の１つの目的は、表示品位が低下するのを抑制することが可能な液晶表示装置および電子機器を提供することである。
【課題を解決するための手段および発明の効果】
【０００７】
この発明の第１の局面による液晶表示装置は、異なる色に対応する複数の表示用副画素と、視野角を制御する視野角制御用副画素とを含む複数の画素と、複数の画素にそれぞれ設けられた共通電極および保持容量とを備え、共通電極および保持容量のうち少なくとも一方は、複数の画素の各々が設けられる領域において、複数の表示用副画素と視野角制御用副画素とで電気的に独立するように設けられている。
【０００８】
上記第１の局面による液晶表示装置では、上記のように、共通電極および保持容量のうち少なくとも一方を、複数の画素の各々が設けられる領域において、複数の表示用副画素と視野角制御用副画素とで電気的に独立するように設けることによって、複数の表示用副画素に設けられた共通電極および保持容量の両方と、視野角制御用副画素に設けられた共通電極および保持容量の両方とを画素が設けられる領域において電気的に接続する場合と異なり、表示用副画素と視野角制御用副画素とが画素が設けられる領域において電気的に独立しているため、互いに電気的な影響を受けにくくなる。これにより、表示用副画素に設けられた共通電極および保持容量のうち少なくとも一方、および、視野角制御用副画素に設けられた共通電極および保持容量のうち少なくとも一方に印加される電位が変動するのを抑制することができるので、表示品位が低下するのを抑制することができる。
【０００９】
上記第１の局面による液晶表示装置において、好ましくは、共通電極と電気的に接続された共通電極線と、保持容量と電気的に接続された保持容量線とをさらに備え、複数の画素の各々が設けられる領域において、共通電極および保持容量のうち少なくとも一方が複数の表示用副画素と視野角制御用副画素とで電気的に独立するように、共通電極および保持容量がそれぞれ共通電極線および保持容量線に接続されている。このように構成すれば、複数の表示用副画素の共通電極線に接続された共通電極および保持容量線に接続された保持容量のうち少なくとも一方と、視野角制御用副画素の共通電極線に接続された共通電極および保持容量線に接続された保持容量のうち少なくとも一方とに印加される電位が変動するのを抑制することができるので、表示品位が低下するのを抑制することができる。
【００１０】
この場合、好ましくは、共通電極は、複数の表示用副画素に配置される第１共通電極と、第１共通電極とは電気的に独立して設けられ、視野角制御用副画素に配置される第２共通電極とを含み、共通電極線は、第１共通電極に接続される第１共通電極線と、少なくとも複数の画素の各々が設けられる領域において、第１共通電極線とは電気的に独立して設けられ、第２共通電極に接続される第２共通電極線とを含む。このように構成すれば、少なくとも複数の画素の各々が設けられる領域において、第１共通電極と第２共通電極とを電気的に独立して設けるのみならず、第１共通電極に接続される第１共通電極線と第２共通電極に接続される第２共通電極線とも電気的に独立して設けることができる。
【００１１】
上記第１共通電極と第２共通電極とを含む共通電極を備える液晶表示装置において、好ましくは、複数の表示用副画素には、共通の１つの第１共通電極が設けられ、視野角制御用副画素には、１つの第２共通電極が設けられ、複数の表示用副画素に形成された共通の１つの第１共通電極は、１本の第１共通電極線に接続され、視野角制御用副画素に形成された１つの第２共通電極は、１本の第２共通電極線に接続されている。このように構成すれば、少なくとも複数の画素の各々が設けられる領域において、第１共通電極と１つの第２共通電極とを電気的に独立して設け、かつ、第１共通電極に接続される１本の第１共通電極線と１つの第２共通電極に接続される１本の第２共通電極線とも電気的に独立して設けることができる。
【００１２】
上記共通電極線と保持容量線とを備える液晶表示装置において、好ましくは、保持容量は、複数の表示用副画素に配置される第１保持容量と、第１保持容量とは電気的に独立して設けられ、視野角制御用副画素に配置される第２保持容量とを含み、保持容量線は、第１保持容量に接続される第１保持容量線と、少なくとも複数の画素の各々が設けられる領域において、第１保持容量線とは電気的に独立して設けられ、第２保持容量に接続される第２保持容量線とを含む。このように構成すれば、少なくとも複数の画素の各々が設けられる領域において、第１保持容量と第２保持容量とを電気的に独立して設けるのみならず、第１保持容量に接続される第１保持容量線と第２保持容量に接続される第２保持容量線とも電気的に独立して設けることができる。
【００１３】
この場合、好ましくは、複数の表示用副画素には、それぞれ、第１保持容量が設けられ、視野角制御用副画素には、１つの第２保持容量が設けられ、複数の表示用副画素に形成された複数の第１保持容量は、１本の第１保持容量線に接続され、視野角制御用副画素に形成された１つの第２保持容量は、１本の第２保持容量線に接続されている。このように構成すれば、少なくとも複数の画素の各々が設けられる領域において、第１保持容量と１つの第２保持容量とを電気的に独立して設け、かつ、第１保持容量に接続される１本の第１保持容量線と１つの第２保持容量に接続される１本の第２保持容量線とも電気的に独立して設けることができる。
【００１４】
上記第１の局面による液晶表示装置において、好ましくは、第１基板と、第１基板の表面上に形成された画素トランジスタと、画素トランジスタに電気的に接続される画素電極と、第１基板と液晶層を挟んで対向するように設けられた第２基板とをさらに備え、第２基板の液晶層側の表面上には、共通電極が形成され、複数の表示用副画素および視野角制御用副画素は、画素電極と共通電極との間に発生する縦方向の電界により駆動されるように構成され、共通電極および保持容量のうち少なくとも一方は、複数の画素の各々が設けられる領域において、複数の表示用副画素と視野角制御用副画素とで電気的に独立するように設けられている。このように構成すれば、縦電界方式の複数の表示用副画素および視野角制御用副画素において、共通電極および保持容量の少なくとも一方の電位変動に起因する表示品位の低下を抑制することができる。
【００１５】
上記第１の局面による液晶表示装置において、好ましくは、第３基板と、第３基板の表面上に形成された画素トランジスタと、第３基板側に設けられ、画素トランジスタに電気的に接続される画素電極とをさらに備え、第３基板側の画素電極の表面上には、絶縁膜を介して共通電極が形成され、複数の表示用副画素および視野角制御用副画素は、複数の画素の各々において、画素電極と共通電極との間に発生する横方向の電界により駆動されるように構成され、共通電極および保持容量のうち少なくとも一方は、複数の画素の各々が設けられる領域において、表示用副画素と視野角制御用副画素とで電気的に独立するように設けられている。このように構成すれば、横電界方式の複数の表示用副画素および視野角制御用副画素において、共通電極および保持容量の少なくとも一方の電位変動に起因する表示品位の低下を抑制することができる。
【００１６】
上記第１の局面による液晶表示装置において、好ましくは、複数の表示用副画素および視野角制御用副画素にそれぞれ設けられる画素電極をさらに備え、複数の表示用副画素は、複数の画素の各々において、画素電極と共通電極との間に発生する横方向の電界により駆動されるように構成され、視野角制御用副画素は、複数の画素の各々において、画素電極と共通電極との間に発生する縦方向の電界により駆動されるように構成され、共通電極および保持容量のうち少なくとも一方は、複数の画素の各々が設けられる領域において、複数の表示用副画素と視野角制御用副画素とで電気的に独立するように設けられている。このように構成すれば、横電界方式の複数の表示用副画素、および、縦電界方式の視野角制御用副画素において、共通電極および保持容量の少なくとも一方の電位変動に起因する表示品位の低下を抑制することができる。
【００１７】
上記第１の局面による液晶表示装置において、好ましくは、複数の表示用副画素に設けられた共通電極、および、視野角制御用副画素に設けられた共通電極に共通電位を印加する電位供給部をさらに備える。このように構成すれば、複数の表示用副画素に設けられた共通電極、および、視野角制御用副画素に設けられた共通電極に、容易に、電位供給部により共通電位を印加することができる。
【００１８】
この場合、好ましくは、電位供給部は、複数の表示用副画素に設けられた共通電極に第１共通電位を印加する第１電位供給部と、視野角制御用副画素に設けられた共通電極に第２共通電位を印加する第２電位供給部とを含む。このように構成すれば、複数の表示用副画素に設けられた共通電極に第１電位供給部により第１共通電位を印加することができるとともに、視野角制御用副画素に設けられた共通電極に第２電位供給部により第２共通電位を印加することができるので、別々の共通電位を印加することができる。
【００１９】
この発明の第２の局面による電子機器は、上記のいずれかの構成を有する液晶表示装置を備える。このように構成すれば、表示品位が低下するのを抑制することが可能な液晶表示装置を備えた電子機器を得ることができる。
【図面の簡単な説明】
【００２０】
【図１】本発明の第１実施形態による液晶表示装置の平面図である。
【図２】本発明の第１実施形態による液晶表示装置の画素の平面図である。
【図３】図２の４００−４００線に沿った画素の断面図である。
【図４】本発明の第１実施形態による液晶表示装置の画素の詳細な断面図である。
【図５】本発明の第２実施形態による液晶表示装置の画素の平面図である。
【図６】図５の５００−５００線に沿った画素の断面図である。
【図７】本発明の第３実施形態による液晶表示装置の画素の平面図である。
【図８】図７の６００−６００線に沿った画素の断面図である。
【図９】本発明の第４実施形態による液晶表示装置の画素の平面図である。
【図１０】図９の７００−７００線に沿った画素の断面図である。
【図１１】本発明の第４実施形態による液晶表示装置の画素の詳細な断面図である。
【図１２】本発明の第５実施形態による液晶表示装置の平面図である。
【図１３】本発明の第５実施形態による液晶表示装置の画素の平面図である。
【図１４】図１３の８００−８００線に沿った画素の断面図である。
【図１５】本発明の第５実施形態による液晶表示装置の画素の詳細な断面図である。
【図１６】本発明の第１〜第５実施形態による液晶表示装置を用いた電子機器の第１の例を説明するための図である。
【図１７】本発明の第１〜第５実施形態による液晶表示装置を用いた電子機器の第２の例を説明するための図である。
【図１８】本発明の第１〜第５実施形態による液晶表示装置を用いた電子機器の第３の例を説明するための図である。
【発明を実施するための形態】
【００２１】
以下、本発明の実施形態を図面に基づいて説明する。
【００２２】
（第１実施形態）
まず、図１〜図３を参照して、本発明の第１実施形態による液晶表示装置１００の構成について説明する。
【００２３】
本発明の第１実施形態による液晶表示装置１００では、図１に示すように、表示部１には、複数の画素２がマトリクス状に設けられている。
【００２４】
ここで、第１実施形態では、複数の画素２は、赤色（Ｒ）、緑色（Ｇ）および青色（Ｂ）の表示にそれぞれ対応する表示用副画素２ａ（Ｒ）、２ｂ（Ｇ）および２ｃ（Ｂ）と、視野角制御用副画素２ｄ（Ｗ）とからなる矩形状の４つの副画素により構成されている。なお、視野角制御用副画素２ｄは、表示部１により表示される画像の視野角の範囲を制御するための透明または白色光を出射する機能を有する。
【００２５】
また、表示部１には、複数のゲート線３が設けられており、複数のゲート線３に直交する方向に複数の信号線４が設けられている。表示用副画素２ａ〜２ｃおよび視野角制御用副画素２ｄは、それぞれ、ゲート線３と信号線４とが交差する位置にマトリクス状に配置されている。
【００２６】
また、表示用副画素２ａ（２ｂ、２ｃ）および視野角制御用副画素２ｄには、それぞれ、画素トランジスタ５と、液晶層６と、保持容量７ａ（７ｂ、７ｃ）および７ｄとが設けられている。なお、保持容量７ａ〜７ｃは、本発明の「第１保持容量」の一例であり、保持容量７ｄは、本発明の「第２保持容量」の一例である。また、画素トランジスタ５のゲート電極８は、ゲート線３に接続されている。画素トランジスタ５のソース電極９は、信号線４に接続されている。画素トランジスタ５のドレイン電極１０は、液晶層６の一方側に設けられた画素電極１１ａ〜１１ｄに接続されている。また、液晶層６の他方側には、共通電極１２ａおよび１２ｂが設けられている。なお、共通電極１２ａは、本発明の「第１共通電極」の一例であり、共通電極１２ｂは、本発明の「第２共通電極」の一例である。
【００２７】
ここで、第１実施形態では、図２に示すように、共通の１つの共通電極１２ａは、複数の画素２の各々が設けられる領域において、表示用副画素２ａ〜２ｃと視野角制御用副画素２ｄとで電気的に独立するように設けられている。また、複数の画素２の各々が設けられる領域において、表示用副画素２ａ〜２ｃに設けられた共通電極１２ａは、１本の第１共通電極線１３に接続されている。また、視覚制御用副画素２ｄに設けられた共通電極１２ｂは、１本の第２共通電極線１４に接続されている。これにより、図３に示すように、複数の画素２の各々が設けられる領域において、表示用副画素２ａ〜２ｃに設けられた第１共通電極線１３（共通電極１２ａ）と、視覚制御用副画素２ｄに設けられた第２共通電極線１４（共通電極１２ｂ）とが電気的に独立するように構成される。
【００２８】
また、図１に示すように、画素トランジスタ５のドレイン電極１０は、それぞれ、保持容量７ａ〜７ｄの一方電極と電気的に接続されている。また、第１実施形態では、図２に示すように、保持容量７ａ〜７ｃと保持容量７ｄとは、複数の画素２の各々が設けられる領域において、表示用副画素２ａ〜２ｃと視野角制御用副画素２ｄとで電気的に独立するように設けられている。また、複数の画素２の各々が設けられる領域において、表示用副画素２ａ〜２ｃに設けられた保持容量７ａ〜７ｃは、１本の第１保持容量線１５に接続されている。また、視覚制御用副画素２ｄに設けられた保持容量７ｄは、１つの第２保持容量線１６に接続されている。これにより、図３に示すように、複数の画素２の各々が設けられる領域において、表示用副画素２ａ〜２ｃに設けられた第１保持容量線１５（保持容量７ａ〜７ｃ）と、視覚制御用副画素２ｄに設けられた第２保持容量線１６（保持容量７ｄ）とが電気的に独立するように構成される。なお、第１保持容量線１５および第２保持容量線１６は、後述する第１ＣＯＭ１８などに接続されている。また、第１保持容量線１５および第２保持容量線１６には、第１共通電極線１３および第２共通電極線１４に印加される電位と同じ電位（０Ｖ以上５Ｖ以下）が印加されるように構成されている。
【００２９】
また、図１に示すように、液晶表示装置１００には、駆動ＩＣ１７が設けられており、駆動ＩＣ１７から表示部１に信号が供給されるように構成されている。また、液晶表示装置１００には、第１ＣＯＭ１８が設けられており、駆動ＩＣ１７から第１ＣＯＭ１８に信号が供給されるように構成されている。第１ＣＯＭ１８は、表示用副画素２ａ〜２ｃおよび視覚制御用副画素２ｄに駆動ＩＣ１７からの信号に基づいた所定の共通電位（０Ｖ以上５Ｖ以下）を印加するように構成されている。なお、第１ＣＯＭ１８は、本発明の「電位供給部」および「第１電位供給部」の一例である。表示部１の領域内において、第１ＣＯＭ１８は、第１共通電極線１３および第２共通電極線１４に接続されている。また、液晶表示装置１００には、バックライト１９が設けられており、駆動ＩＣ１７から信号が供給されるように構成されている。バックライト１９は、表示部１の裏面側から光を照射するように構成されている。また、第１実施形態では、第１共通電極線１３および第２共通電極線１４には、０Ｖ以上５Ｖ以下の共通電位が印加されるように構成されている。
【００３０】
次に、図４を参照して、画素２の詳細な構成を説明する。ＴＦＴ基板２０上には、ゲート電極８が形成されている。なお、ＴＦＴ基板２０は、本発明の「第１基板」の一例である。このゲート電極８の表面上には、ＳｉＮなどからなる絶縁膜２１が形成されている。各副画素のゲート電極８は、それぞれ対応するゲート線３（図１参照）に電気的に接続されている。絶縁膜２１は、画素トランジスタ５のゲート絶縁膜としての機能を有する。ゲート電極８上には、絶縁膜２１を介してアモルファスシリコン（ａ−Ｓｉ）からなる半導体層２２が形成されている。半導体層２２は、下層のａ−Ｓｉ層と、上層のｎ型の導電性を有するｎ＋Ｓｉ層との２層構造からなる。なお、半導体層２２の上層のｎ＋Ｓｉ層はキャリアの転送効率を上げるために形成されている。
【００３１】
半導体層２２の表面上には、平面的に見て、半導体層２２と重なるようにソース電極９およびドレイン電極１０が形成されている。各副画素のソース電極９は、それぞれ対応する信号線４（図１参照）に電気的に接続されている。また、半導体層２２のソース電極９とドレイン電極１０とに挟まれる領域には、上層のｎ＋Ｓｉ層が除去されて下層のａ−Ｓｉ層によりチャネル領域が形成されている。ソース電極９およびドレイン電極１０の表面上には、ＳｉＮからなるパッシベーション膜２３が形成されている。パッシベーション膜２３の表面上には、アクリル系の樹脂からなる平坦化膜２４が形成されている。平坦化膜２４の表面上には、画素電極１１ａ〜１１ｄが形成されており、ドレイン電極１０と電気的に接続されている。画素電極１１ａ〜１１ｄの表面上には配向膜４１が形成されている。なお、表示用副画素２ａ〜２ｃに設けられた画素電極１１ａ〜１１ｃには、０Ｖ以上５Ｖ以下の電位が印加されるように構成されている。視野角制御用副画素２ｄに設けられた画素電極１１ｄには、−１０Ｖ以上＋１５Ｖ以下の電位が印加されるように構成されている。これにより、表示用副画素２ａ〜２ｃに設けられた液晶層６の領域には、０Ｖ以上５Ｖ以下の電位が印加され、視野角制御用副画素２ｄに設けられた液晶層６の領域には、０Ｖ以上１５Ｖ以下の電位が印加されるように構成されている。
【００３２】
また、配向膜４１は、図２に示すように、表示用副画素２ａ〜２ｃと、視野角制御用副画素２ｄとで、それぞれ、異なる方向Ｒにラビング処理が施されている。これにより、液晶分子（液晶層６）が、表示用副画素２ａ〜２ｃと、視野角制御用副画素２ｄとで、それぞれ、異なる方向に配向される。
【００３３】
また、図４に示すように、ＴＦＴ基板２０と液晶層６を挟んで対向するように対向基板２５が設けられている。なお、対向基板２５は、本発明の「第２基板」の一例である。この対向基板２５の表面上には、ＴＦＴ基板２０上の画素トランジスタ５が設けられた領域に対応する位置に遮光膜（ブラックマトリクス）２６が形成されているとともに、各々の表示用副画素２ａ〜２ｃに対応する領域には、それぞれ対応する色（図４では２ｃ（青色：Ｂ））のカラーフィルタ２７が形成されている。なお、視野角制御用副画素２ｄに対応する領域には、カラーフィルタ２７は形成されておらず、遮光膜２６およびカラーフィルタ２７の表面上には、オーバーコート層２８が形成されている。このオーバーコート層２８の表面上には、配向膜４２が設けられている。
【００３４】
また、第１実施形態では、表示用副画素２ａ〜２ｃおよび視野角制御用副画素２ｄは、ＴＦＴ基板２０側に形成された共通電極１２ａおよび１２ｂと画素電極１１ａ〜１１ｄとの間に発生する縦方向の電界により液晶が駆動する縦電界方式のＥＣＢモード（ＥＣＢ：Ｅｌｅｃｔｒｉｃａｌｌｙ  Ｃｏｎｔｒｏｌｌｅｄ  Ｂｉｒｅｆｒｉｎｇｅｎｃｅ）により構成されている。
【００３５】
以上の構成により、視野角制御用副画素２ｄを動作しない場合には視野角が制御されず、表示部１に表示される表示画像が正面のみならず斜め方向からも認識可能となる。その一方、視野角制御用副画素２ｄを動作させた場合には、視野角制御用副画素２ｄから出射する光が各々の表示用副画素２ａ〜２ｃから出射する斜め方向の光（画像）と重なり、斜め方向における画像のコントラストが低下する。そして、コントラストが低下した分、斜め方向から表示部１を見た場合に表示部１に表示される表示画像が認識不可能となる（視野角が制御される）ように構成されている。
【００３６】
第１実施形態では、上記のように、共通電極１２ａおよび１２ｂと、保持容量７ａ〜７ｄとを、複数の画素２の各々が設けられる領域において、複数の表示用副画素２ａ〜２ｃと視野角制御用副画素２ｄとで電気的に独立するように設けることによって、表示用副画素２ａ〜２ｃと視野角制御用副画素２ｄとが画素が設けられている領域において電気的に独立しているため、互いに電気的な影響を受けにくくなる。これにより、表示用副画素２ａ〜２ｃに設けられた共通電極１２ａおよび保持容量７ａ〜７ｃと、視野角制御用副画素２ｄに設けられた共通電極１２ｂおよび保持容量７ｄとに印加される電位が変動するのを抑制することができるので、表示品位が低下するのを抑制することができる。
【００３７】
また、第１実施形態では、上記のように、複数の画素２の各々が設けられる領域において、共通電極１２ａを共通電極線１３に接続するとともに、共通電極１２ｂを共通電極線１４に接続する。また、保持容量７ａ〜７ｃを保持容量線１５に接続するとともに、保持容量７ｄを保持容量線１６に接続することによって、表示用副画素２ａ〜２ｃと視野角制御用副画素２ｄとで電気的に独立するように、共通電極線１３および１４と、保持容量線１５および１６とに接続することによって、表示用副画素２ａ〜２ｃの共通電極線１３に接続された共通電極１２ａ、および、視野角制御用副画素２ｄの共通電極線１４に接続された共通電極１２ｂに印加される電位が変動するのを抑制することができるので、表示品位が低下するのを抑制することができる。
【００３８】
また、第１実施形態では、上記のように、複数の表示用副画素２ａ〜２ｃに形成された共通の１つの共通電極１２ａを、１本の第１共通電極線１３に接続し、視野角制御用副画素２ｄに形成された１つの共通電極１２ｂを、１本の第２共通電極線１４に接続することによって、少なくとも複数の画素２の各々が設けられる領域において、共通電極１２ａと１つの共通電極１２ｂとを電気的に独立して設け、かつ、共通電極１２ａに接続される１本の第１共通電極線１３と１つの共通電極１２ｂに接続される１本の第２共通電極線１４とも電気的に独立して設けることができる。
【００３９】
また、第１実施形態では、上記のように、複数の表示用副画素２ａ〜２ｃに形成された複数の保持容量７ａ〜７ｃを、１本の第１保持容量線１５に接続し、視野角制御用副画素２ｄに形成された保持容量７ｄを、１本の第２保持容量線１６に接続することによって、少なくとも複数の画素２の各々が設けられる領域において、保持容量７ａ〜７ｃと１つの保持容量７ｄとを電気的に独立して設け、かつ、保持容量７ａ〜７ｃに接続される１本の第１保持容量線１５と１つの保持容量７ｄに接続される１本の第２保持容量線１６とも電気的に独立して設けることができる。
【００４０】
また、第１実施形態では、上記のように、複数の表示用副画素２ａ〜２ｃおよび視野角制御用副画素２ｄを、画素電極１１ａ〜１１ｄと共通電極１２ａおよび１２ｂとの間に発生する縦方向の電界により駆動されるように構成し、共通電極１２ａおよび１２ｂと、保持容量７ａ〜７ｄとを、複数の画素２の各々が設けられる領域において、複数の表示用副画素２ａ〜２ｃと視野角制御用副画素２ｄとで電気的に独立するように設けることによって、表示用副画素２ａ〜２ｃおよび視野角制御用副画素２ｄにおいて、共通電極１２ａおよび１２ｂと、保持容量７ａ〜７ｄの少なくとも一方との電位変動に起因する表示品位の低下を抑制することができる。
【００４１】
また、第１実施形態では、上記のように、第１ＣＯＭ１８を備えることによって、複数の表示用副画素２ａ〜２ｃに設けられた共通電極１２ａ、および、視野角制御用副画素２ｄに設けられた共通電極１２ｂに、容易に、第１ＣＯＭ１８により共通電位を印加することができる。
【００４２】
（第２実施形態）
次に、図５および図６を参照して、本発明の第２実施形態について説明する。この第２実施形態では、共通電極および保持容量の両方が、表示用副画素２ａ〜２ｃおよび視野角制御用副画素２ｄで電気的に独立するように設ける例を示した第１実施形態とは異なり、保持容量のみが表示用副画素２ａ〜２ｃおよび視野角制御用副画素２ｄで電気的に独立するように構成する例について説明する。
【００４３】
第２実施形態における液晶表示装置１００ａでは、図５および図６に示すように、複数の画素２０１の表示用副画素２ａ〜２ｃに設けられた共通電極１２ａと、視野角制御用副画素２ｄに設けられた共通電極１２ｂとは、１本の第１共通電極線２９に電気的に接続されている。この第１共通電極線２９は、第１ＣＯＭ１８に接続されるとともに、０Ｖ以上５Ｖ以下の共通電位が印加されるように構成されている。
【００４４】
また、第２実施形態では、表示用副画素２ａ〜２ｃに設けられた保持容量７ａ〜７ｃと、視野角制御用副画素２ｄに設けられた保持容量７ｄとは、電気的に独立するように、それぞれ、第１保持容量線１５および第２保持容量線１６に接続されており、保持容量７ａ〜７ｃと、保持容量７ｄとは、電気的に独立するように構成されている。なお、第１保持容量線１５および第２保持容量線１６は、第１ＣＯＭ１８などに接続されている。また、第１保持容量線１５および第２保持容量線１６には、第１共通電極線１３および第２共通電極線１４に印加される電位と同じ電位（０Ｖ以上５Ｖ以下）が印加されるように構成されている。
【００４５】
なお、第２実施形態のその他の構成は、上記した第１実施形態の構成と同様である。
【００４６】
第２実施形態では、上記のように、保持容量７ａ〜７ｄを、複数の画素２の各々が設けられる領域において、表示用副画素２ａ〜２ｃと視野角制御用副画素２ｄとで電気的に独立するように設けることによって、表示用副画素２ａ〜２ｃに設けられた保持容量７ａ〜７ｃと視野角制御用副画素２ｄに設けられた保持容量７ｄとを画素２が設けられる領域において電気的に接続する場合と異なり、表示用副画素２ａ〜２ｃと視野角制御用副画素２ｄとが画素２が設けられる領域において電気的に独立しているため、互いに電気的な影響を受けにくくなるので、表示品位が低下するのを抑制することができる。
【００４７】
なお、第２実施形態のその他の効果は、上記した第１実施形態の効果と同様である。
【００４８】
（第３実施形態）
次に、図７および図８を参照して、本発明の第３実施形態について説明する。この第３実施形態では、共通電極および保持容量の両方が、表示用副画素２ａ〜２ｃおよび視野角制御用副画素２ｄで電気的に独立するように設ける例を示した第１実施形態とは異なり、共通電極のみが表示用副画素２ａ〜２ｃおよび視野角制御用副画素２ｄで電気的に独立するように構成する例について説明する。
【００４９】
第３実施形態における液晶表示装置１００ｂでは、図７に示すように、複数の画素２０２の表示用副画素２ａ〜２ｃに設けられた共通電極１２ａと、視野角制御用副画素２ｄに設けられた共通電極１２ｂとは、複数の画素２０２の各々が設けられる領域において、電気的に独立するように、第１共通電極線１３および第２共通電極線１４に電気的に接続されている。この第１共通電極線１３および第２共通電極線１４は、第１ＣＯＭ１８に接続されている。また、第１共通電極線１３および第２共通電極線１４には、０Ｖ以上５Ｖ以下の共通電位が印加されるように構成されている。
【００５０】
これにより、図８に示すように、複数の画素２０２の各々が設けられる領域において、表示用副画素２ａ〜２ｃに設けられた第１共通電極線１３（共通電極１２ａ）と、視覚制御用副画素２ｄに設けられた第２共通電極線１４（共通電極１２ｂ）とが電気的に独立するように構成されている。
【００５１】
また、第３実施形態では、図７に示すように、表示用副画素２ａ〜２ｃに設けられた保持容量７ａ〜７ｃと、視野角制御用副画素２ｄに設けられた保持容量７ｄとは、１本の第１保持容量線３０により電気的に接続されている。
【００５２】
これにより、図８に示すように、複数の画素２０２の各々が設けられる領域において、表示用副画素２ａ〜２ｃに設けられた保持容量７ａ〜７ｃと、視覚制御用副画素２ｄに設けられた保持容量７ｄとは、１本の第１保持容量線３０に電気的に接続されている。
【００５３】
なお、第３実施形態のその他の構成は、上記した第１実施形態の構成と同様である。
【００５４】
第３実施形態では、上記のように、共通電極１２ａおよび１２ｂを、複数の画素２の各々が設けられる領域において、複数の表示用副画素２ａ〜２ｃと視野角制御用副画素２ｄとで電気的に独立するように設けることによって、表示用副画素２ａ〜２ｃに設けられた共通電極１２ａと、視野角制御用副画素２ｄに設けられた共通電極１２ｂとを画素２が設けられる領域において電気的に接続する場合と異なり、表示用副画素２ａ〜２ｃと視野角制御用副画素２ｄとが画素２が設けられる領域において電気的に独立しているため、互いに電気的な影響を受けにくくなる。これにより、表示品位が低下するのを抑制することができる。
【００５５】
なお、第３実施形態のその他の効果は、上記した第１実施形態のその他の効果と同様である。
【００５６】
（第４実施形態）
次に、図９〜図１１を参照して、本発明の第４実施形態について説明する。この第４実施形態では、複数の画素２の表示用副画素２ａ〜２ｃおよび視野角制御用副画素２ｄを縦電界方式により駆動させる例を示した第１実施形態とは異なり、複数の画素２の表示用副画素２ｅ〜２ｇおよび視野角制御用副画素２ｈを横電界方式により駆動させる例について説明する。
【００５７】
第４実施形態における液晶表示装置１００ｃでは、図１１に示すように、複数の画素２０３の表示用副画素２ｅ〜２ｇ、および、視覚制御用副画素２ｈには、画素電極１１ｅ〜１１ｈが形成されている。この画素電極１１ｅ〜１１ｈの表面上には、絶縁膜３３が形成されている。絶縁膜３３の表面上には、共通電極１２ｃおよび１２ｄが形成されている。なお、共通電極１２ｃは、本発明の「第１共通電極」の一例であり、共通電極１２ｄは、本発明の「第２共通電極」の一例である。これにより、ＴＦＴ基板２０側に形成された共通電極１２ｃおよび１２ｄと画素電極１１ｅ〜１１ｈとの間に発生する横方向の電界により液晶が駆動する横電界方式のＦＦＳモード（ＦＦＳ：Ｆｒｉｎｇｅ  Ｆｉｅｌｄ  Ｓｗｉｔｃｈｉｎｇ）により構成されている。なお、ＴＦＴ基板２０は、本発明の「第３基板」の一例である。
【００５８】
また、図９に示すように、表示用副画素２ｅ、２ｆおよび２ｇに設けられた共通電極１２ｃには、平面的に見て、Ｖ字形状のスリット１２１ｃが形成されている。また、視覚制御用副画素２ｈに設けられた共通電極１２ｄには、平面的に見て、Ｘ方向に延びる矩形形状のスリット１２１ｄが形成されている。
【００５９】
また、第４実施形態では、表示用副画素２ｅ〜２ｇに設けられた共通電極１２ｃは、１本の第１共通電極線３１に接続されている。また、視覚制御用副画素２ｈに設けられた共通電極１２ｄは、１本の第２共通電極線３２に接続されている。
【００６０】
これにより、図１０に示すように、複数の画素２０３の各々が設けられる領域において、表示用副画素２ｅ〜２ｇに設けられた第１共通電極線３１（共通電極１２ｃ）と、視覚制御用副画素２ｈに設けられた第２共通電極線３２（共通電極１２ｄ）とが、電気的に独立するように構成されている。
【００６１】
また、第１共通電極線３１および第２共通電極線３２には、０Ｖ以上５Ｖ以下の共通電位が印加されるように構成されている。なお、表示用副画素２ｅ〜２ｇおよび視覚制御用副画素２ｈを横電界方式に構成する場合には、画素電極１１ｅ（１１ｆ、１１ｇ、１１ｈ）と共通電極１２ｃ（１２ｄ）との間で、保持容量が形成される。
【００６２】
なお、第４実施形態のその他の構成は、上記した第１実施形態の構成と同様である。
【００６３】
第４実施形態では、上記のように、複数の表示用副画素２ｅ〜２ｇおよび視野角制御用副画素２ｈを、複数の画素２０３の各々において、画素電極１１ｅ〜１１ｈと共通電極１２ｃおよび１２ｄとの間に発生する横方向の電界により駆動されるように構成し、共通電極１２ｃおよび１２ｄを、複数の画素２０３の各々が設けられる領域において、表示用副画素２ｅ〜２ｇと視野角制御用副画素２ｈとで電気的に独立するように設けることによって、表示用副画素２ｅ〜２ｇおよび視野角制御用副画素２ｈにおいて、共通電極１２ｃおよび１２ｄの電位変動に起因する表示品位が低下するのを抑制することができる。
【００６４】
なお、第４実施形態のその他の効果は、上記した第１実施形態の効果と同様である。
【００６５】
（第５実施形態）
次に、図１２〜図１５を参照して、本発明の第５実施形態について説明する。この第５実施形態では、複数の画素２０３の視野角制御用副画素２ｈを横電界方式により駆動させる例を示した第４実施形態とは異なり、複数の画素２０４の視野角制御用副画素２ｄを縦電界方式により駆動させる例について説明する。
【００６６】
第５実施形態における液晶表示装置１００ｄでは、図１２に示すように、液晶表示装置１００ｄには、第２ＣＯＭ３４が設けられている。第２ＣＯＭ３４には、駆動ＩＣ１７から信号が供給されるように構成されている。なお、第２ＣＯＭ３４は、本発明の「第２電位供給部」の一例である。第２ＣＯＭ３４は、表示部１の視野角制御用副画素２ｄに第１ＣＯＭ１８とは異なる共通電位を印加するように構成されている。また、図１５に示すように、複数の画素２０４の表示用副画素２ｅ〜２ｇは、横方向電界方式により駆動されるように構成されるとともに、視覚制御用副画素２ｄは、縦電界方式により駆動されるように構成されている。
【００６７】
また、第５実施形態では、図１３に示すように、表示用副画素２ｅ〜２ｇに設けられた共通電極１２ｃは、１本の第１共通電極線３５と電気的に接続されている。この第１共通電極線３５は、第１ＣＯＭ１８と電気的に接続されている。また、視覚制御用副画素２ｄに設けられた共通電極１２ｂは、１本の第２共通電極線３６と接続されている。この第２共通電極線３６は、第２ＣＯＭ３４と電気的に接続されている。
【００６８】
これにより、図１４に示すように、表示用副画素２ｅ〜２ｇに設けられた第１共通電極線３５（共通電極１２ｃ）と、視覚制御用副画素２ｄに設けられた第２共通電極線３６（共通電極１２ｂ）とは、電気的に独立するように構成されている。また、視覚制御用副画素２ｄに設けられた保持容量７ｄは、１本の第２保持容量線１６と電気的に接続されている。
【００６９】
また、第１共通電極線３５には、０Ｖ以上５Ｖ以下の共通電位（第１共通電位）が印加され、第２共通電極線３６には、０Ｖ以上５Ｖ以下の共通電位（第２共通電位）が印加されるように構成されている。
【００７０】
なお、第５実施形態のその他の構成は、上記した第４実施形態の構成と同様である。
【００７１】
第５実施形態では、上記のように、複数の表示用副画素２ｅ〜２ｇを、複数の画素２０４の各々において、画素電極１１ｅ〜１１ｇと共通電極１２ｃとの間にそれぞれ発生する横方向の電界により駆動されるように構成し、視野角制御用副画素２ｄを、複数の画素２０４の各々において、画素電極１１ｄと共通電極１２ｂとの間に発生する縦方向の電界により駆動されるように構成し、共通電極１２ｃおよび１２ｂと、保持容量７ｄとを、複数の画素２０４の各々が設けられる領域において、複数の表示用副画素２ｅ〜２ｇと視野角制御用副画素２ｄとで電気的に独立するように設ける。これにより、横電界方式の表示用副画素２ｅ〜２ｇ、および、縦電界方式の視野角制御用副画素２ｄにおいて、共通電極１２ｃおよび１２ｂと、保持容量７ｄとの少なくとも一方の電位変動に起因する表示品位の低下を抑制することができる。
【００７２】
また、第５実施形態では、上記のように、電位供給部が第１ＣＯＭ１８と、第２ＣＯＭ３４とを含むことによって、複数の表示用副画素２ｅ〜２ｇに設けられた共通電極１２ｃに第１ＣＯＭ１８により確実に共通電位を印加することができるとともに、視野角制御用副画素２ｄに設けられた共通電極１２ｂに第２ＣＯＭ３４により共通電位を印加することができるので、別々の共通電位を印加することができる。
【００７３】
第５実施形態のその他の効果は、上記した第４実施形態の効果と同様である。
【００７４】
図１６〜図１８は、それぞれ、上記した第１〜第５実施形態による液晶表示装置１００、１００ａ、１００ｂ、１００ｃ、１００ｄを用いた電子機器の第１の例〜第３の例を説明するための図である。図１６〜図１８を参照して、第１〜第５実施形態による液晶表示装置１００、１００ａ、１００ｂ、１００ｃ、１００ｄを用いた電子機器について説明する。
【００７５】
第１〜第５実施形態による液晶表示装置１００、１００ａ、１００ｂ、１００ｃ、１００ｄは、図１６〜図１８に示すように、第１の例としてのＰＣ（Ｐｅｒｓｏｎａｌ  Ｃｏｍｐｕｔｅｒ）３００、第２の例としての携帯電話３１０、および、第３の例としての情報携帯端末３２０（ＰＤＡ：Ｐｅｒｓｏｎａｌ  Ｄｉｇｉｔａｌ  Ａｓｓｉｓｔａｎｔｓ）などに用いることが可能である。図１６の第１の例によるＰＣ３００においては、キーボードなどの入力部３００ａおよび表示画面３００ｂなどに第１〜第５実施形態による液晶表示装置１００、１００ａ、１００ｂ、１００ｃ、１００ｄを用いることが可能である。図１７の第２の例によるの携帯電話３１０においては、表示画面３１０ａに第１〜第２実施形態による液晶表示装置１００、１００ａ、１００ｂ、１００ｃ、１００ｄが用いられる。図１８の第３の例による情報携帯端末３２０においては、表示画面３２０ａに第１〜第５実施形態による液晶表示装置１００、１００ａ、１００ｂ、１００ｃ、１００ｄが用いられる。
【００７６】
なお、今回開示された実施形態は、すべての点で例示であって制限的なものではない。本発明の範囲は、上記した実施形態の説明ではなく特許請求の範囲によって示され、さらに特許請求の範囲と均等の意味および範囲内でのすべての変更が含まれる。
【００７７】
たとえば、上記第１〜第５実施形態では、表示用副画素および視覚制御用副画素をＥＣＢなどの縦電界方式、または、ＦＦＳなどの横電界方式により駆動させる例を示したが、本発明はこれに限らず、ＴＮ（Ｔｗｉｓｔｅｄ  Ｎｅｍａｔｉｃ）などの縦電界方式、または、ＩＰＳ（Ｉｎ  Ｐｌａｎｅ  Ｓｗｉｔｃｈｉｎｇ）などの横電界方式により駆動させてもよい。
【００７８】
また、上記第１〜第５実施形態では、複数の表示用副画素に設けられた複数の共通電極が１本の共通電極線に接続される例を示したが、本発明はこれに限らず、１つの共通電極が１本の共通電極線に接続されていてもよい。
【００７９】
また、上記第１〜第５実施形態では、表示用副画素をＲ、ＧおよびＢの３つの副画素から構成する例を示したが、本発明はこれに限らず、表示用副画素を３つ以外の副画素から構成してもよい。
【００８０】
また、上記第４実施形態では、表示用副画素の共通電極の上層側に視野角制御用副画素の共通電極を形成する例を示したが、本発明はこれに限らず、表示用副画素の共通電極の下層側に視覚制御用副画素の共通電極を形成してもよい。
【００８１】
また、上記第４実施形態では、画素電極の表面上に絶縁膜を介して共通電極を形成する例を示したが、本発明はこれに限らず、共通電極の表面上に絶縁膜を介して画素電極を形成してもよい。
【符号の説明】
【００８２】
２、２０１、２０２、２０３、２０４  画素      ２ａ、２ｂ、２ｃ、２ｅ、２ｆ、２ｇ  表示用副画素      ２ｄ、２ｈ  視野角制御用副画素      ５  画素トランジスタ      ６  液晶層      ７ａ、７ｂ、７ｃ  保持容量（第１保持容量）      ７ｄ  保持容量（第２保持容量）      １１ａ、１１ｂ、１１ｃ、１１ｄ、１１ｅ、１１ｆ、１１ｇ、１１ｈ  画素電極      １２ａ、１２ｃ  共通電極（第１共通電極）      １２ｂ、１２ｄ  共通電極（第２共通電極）      １３、２９、３１、３５  第１共通電極線      １４、３２、３６  第２共通電極線      １５、３０  第１保持容量線（保持容量線）      １６  第２保持容量線（保持容量線）      １８  第１ＣＯＭ（電位供給部）（第１電位供給部）      ２０  ＴＦＴ基板（第１基板）（第３基板）      ２５  対向基板（第２基板）      ３３  絶縁膜      ３４  第２ＣＯＭ（第２電位供給部）      １００、１００ａ、１００ｂ、１００ｃ、１００ｄ  液晶表示装置      ３００  ＰＣ（電子機器）      ３１０  携帯電話（電子機器）      ３２０  情報携帯端末（電子機器）
【図１】
2010224379.tif 000003
【図２】
2010224379.tif 000004
【図３】
2010224379.tif 000005
【図４】
2010224379.tif 000006
【図５】
2010224379.tif 000007
【図６】
2010224379.tif 000008
【図７】
2010224379.tif 000009
【図８】
2010224379.tif 000010
【図９】
2010224379.tif 000011
【図１０】
2010224379.tif 000012
【図１１】
2010224379.tif 000013
【図１２】
2010224379.tif 000014
【図１３】
2010224379.tif 000015
【図１４】
2010224379.tif 000016
【図１５】
2010224379.tif 000017
【図１６】
2010224379.tif 000018
【図１７】
2010224379.tif 000019
【図１８】
2010224379.tif 000020